【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
画像形成装置に接続され、ユーザ識別情報と対応付けられた印刷データを記憶する印刷データ記憶手段と接続されるネットワークインタフェース装置であって、
前記画像形成装置を利用するために用いられる読取手段で読取対象物を読み取ることによって得られるユーザを識別するユーザ識別情報を受け付けるユーザ識別情報受付手段と、
前記印刷データ記憶手段で記憶されている印刷データを識別する印刷データ識別情報を記憶する印刷データ識別情報記憶手段と、
前記ユーザ識別情報受付手段で受け付けたユーザ識別情報と同一ユーザの読取対象物を前記読取手段で再度受け付けたか否かを判定する受付判定手段と、
前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段と、
を備えることを特徴とするネットワークインタフェース装置。
【請求項２】
前記ユーザ識別情報に対応する印刷データ識別情報に従って、前記印刷データ記憶手段に記憶されている印刷データを前記画像形成装置に送信する第１の印刷データ送信手段を更に備え、
前第１の記印刷手段は、同一ユーザの読取対象物を再度受け付けない場合に、前記印刷データ識別情報記憶手段で記憶されている前記ユーザ識別情報に対応する印刷データ識別情報に従って、前記印刷データ記憶手段から印刷データを取得して送信することを特徴とする請求項１に記載のネットワークインタフェース装置。
【請求項３】
前記ユーザ識別情報の受け付けに応じて、前記印刷データ識別情報記憶手段で記憶されている当該ユーザ識別情報に対応する印刷データ識別情報を所定時間ユーザに通知するように、前記画像形成装置に前記印刷データ識別情報を送信する印刷データ識別情報送信手段を更に備え、
前記印刷データ削除は、前記受付判定手段で、前記印刷データ識別情報送信手段によって送信した前記印刷データ識別情報を前記画像形成装置で所定時間通知する間に、同一ユーザの読取対象物を再度受け付けたと判定される場合に、通知されている前記印刷データ識別情報に従って、前記印刷データ記憶手段から印刷データを削除することを特徴とする請求項１又は２に記載のネットワークインタフェース装置。
【請求項４】
前記受付判定手段で、同一ユーザの読取対象物を再度受け付けたと判定される場合に、前記読取手段に読取対象物がかざされている間隔の値を取得する値取得手段と、
前記値取得手段で取得された値が所定の値となるか否かを判定する値判定手段とを更に備え、
前記印刷データ削除手段は、前記値判定手段で所定の値となると判定された場合に、前記ユーザ識別情報に対応する印刷データを前記印刷データ記憶手段から全て削除することを特徴とする請求項２又は３に記載のネットワークインタフェース装置。
【請求項５】
前記印刷データ識別情報送信手段は、前記値判定手段で所定の値とならないと判定された場合に、前記印刷データ記憶手段で記憶されている次の印刷データを識別する印刷データ識別情報を所定時間ユーザに通知すべく前記画像形成装置に印刷データ識別情報を送信することを特徴とする請求項４に記載のネットワークインタフェース装置。
【請求項６】
前記ネットワークインタフェース装置は、ユーザの認証を行う認証サーバと通信し、
前記ユーザ識別情報受付手段によって前記ユーザ識別情報を受け付けた場合、前記ユーザ識別情報を含む認証要求を前記認証サーバに送信する認証要求送信手段と、
前記認証要求送信手段で認証要求を前記認証サーバに送信することで、前記ユーザ識別情報が認証された場合、前記ユーザ識別情報に対応する印刷データの印刷データ識別情報を取得する印刷データ識別情報取得手段とを更に備え、
前記印刷データ識別情報送信手段は、前記印刷データ識別情報取得手段で取得した印刷データ識別情報を送信することを特徴とする請求項１乃至５のいずれか１項に記載のネットワークインタフェース装置。
【請求項７】
前記ネットワークインタフェース装置は、印刷データを送信する情報処理装置と通信し、
前記情報処理装置から送信された印刷データを受け付ける印刷データ受付手段と、
前記印刷データ受付手段によって受け付けた印刷データを前記印刷データ記憶に保存する保存手段と
を更に備えることを特徴とする請求項１乃至６のいずれか１項に記載のネットワークインタフェース装置。
【請求項８】
前記認証サーバと通信可能か否かを判断する通信可否判断手段と、
前記通信可否判断手段で、前記認証サーバと通信可能でないと判断した場合、前記印刷データ受付手段によって受け付けた印刷データを、前記印刷データ記憶手段に保存するための設定を解除する解除手段と、
前記解除手段によって設定が解除されている場合、前記印刷データ受付手段によって受け付けた印刷データを、前記印刷データ記憶手段に保存することなく、前記画像形成装置に送信する第２の印刷データ送信手段と
を更に備えることを特徴とする請求項１乃至７のいずれか１項に記載のネットワークインタフェース装置。
【請求項９】
前記通信可否判断手段は、前記解除手段で印刷データ記憶手段に保存するための設定が解除されている場合、一定間隔で前記認証サーバと通信可能かどうかを判断することを特徴とする請求項８に記載のネットワークインタフェース装置。
【請求項１０】
前記通信可否判断手段で前記認証サーバと通信可能であると判断した場合、かつ前記印刷データ記憶手段に保存するための設定が解除されている場合、前記印刷データ記憶手段に保存するための設定を設定する設定手段
を更に備えることを特徴とする請求項８又は９に記載のネットワークインタフェース装置。
【請求項１１】
前記通信可否判断で前記認証サーバとの通信ができた際の時間情報を記憶する時間情報
記憶手段を更に備え、
前記印刷データ識別情報送信手段は、前記時間情報と前記印刷データ記憶手段に印刷データを保存した保存時間情報に従って、前記印刷データ識別情報を送信することを特徴とする請求項８乃至１０のいずれか１項に記載のネットワークインタフェース装置。
【請求項１２】
前記ユーザ識別情報受付手段で受け付けたユーザ識別情報は、前記読取手段に読取対象物がかざされた場合に、当該読取対象物の所定の領域を読み取ることによって得られる情報であることを特徴とする請求項１乃至１１のいずれか１項に記載のネットワークインタフェース装置。
【請求項１３】
画像形成装置に接続され、ユーザ識別情報と対応付けられた印刷データを記憶する印刷データ記憶手段と接続されるネットワークインタフェース装置の制御方法であって、
前記ネットワークインタフェース装置が、
前記画像形成装置を利用するために用いられる読取手段で読取対象物を読み取ることによって得られるユーザを識別するユーザ識別情報を受け付けるユーザ識別情報受付工程と、
前記印刷データ記憶手段で記憶されている印刷データを識別する印刷データ識別情報を記憶する印刷データ識別情報記憶工程と、
前記ユーザ識別情報受付工程で受け付けたユーザ識別情報と同一ユーザの読取対象物を前記読取手段で再度受け付けたか否かを判定する受付判定工程と、
前記受付判定工程で、同一ユーザの読取対象物を再度受け付けたと判定される場合に、前記印刷データ識別情報記憶工程で記憶した前記ユーザ識別情報に対応する印刷データ識別情報に従って、前記印刷データ記憶手段から印刷データを削除する印刷データ削除工程と
を実行することを特徴とするネットワークインタフェース装置の制御方法。
【請求項１４】
画像形成装置に接続され、ユーザ識別情報と対応付けられた印刷データを記憶する印刷データ記憶手段と接続されるネットワークインタフェース装置で実行可能なプログラムであって、
前記ネットワークインタフェースを、
前記画像形成装置を利用するために用いられる読取手段で読取対象物を読み取ることによって得られるユーザを識別するユーザ識別情報を受け付けるユーザ識別情報受付手段と、
前記印刷データ記憶手段で記憶されている印刷データを識別する印刷データ識別情報を記憶する印刷データ識別情報記憶手段と、
前記ユーザ識別情報受付手段で受け付けたユーザ識別情報と同一ユーザの読取対象物を前記読取手段で再度受け付けたか否かを判定する受付判定手段と、
前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段として機能させることを特徴とするプログラム。
【請求項１５】
ユーザ識別情報と対応付けられた印刷データを記憶する印刷データ記憶手段と接続される画像形成装置であって、
当該画像形成装置を利用するために用いられる読取手段で読取対象物を読み取ることによって得られるユーザを識別するユーザ識別情報を受け付けるユーザ識別情報受付手段と、
前記印刷データ記憶手段で記憶されている印刷データを識別する印刷データ識別情報を記憶する印刷データ識別情報記憶手段と、
前記ユーザ識別情報受付手段で受け付けたユーザ識別情報と同一ユーザの読取対象物を前記読取手段で再度受け付けたか否かを判定する受付判定手段と、
前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段と
を備えることを特徴とする画像形成装置。
【請求項１６】
ユーザ識別情報と対応付けられた印刷データを記憶する印刷データ記憶手段と接続される画像形成装置の制御方法であって、
前記画像形成装置が、
当該画像形成装置を利用するために用いられる読取手段で読取対象物を読み取ることによって得られるユーザを識別するユーザ識別情報を受け付けるユーザ識別情報受付工程と、
前記印刷データ記憶手段で記憶されている印刷データを識別する印刷データ識別情報を記憶する印刷データ識別情報記憶工程と、
前記ユーザ識別情報受付工程で受け付けたユーザ識別情報と同一ユーザの読取対象物を前記読取手段で再度受け付けたか否かを判定する受付判定工程と、
前記受付判定工程で、同一ユーザの読取対象物を再度受け付けたと判定される場合に、前記印刷データ識別情報記憶工程で記憶した前記ユーザ識別情報に対応する印刷データ識別情報に従って、前記印刷データ記憶手段から印刷データを削除する印刷データ削除工程と
を備えることを特徴とする画像形成装置の制御方法。
【請求項１７】
ユーザ識別情報と対応付けられた印刷データを記憶する印刷データ記憶手段と接続される画像形成装置で実行可能なプログラムであって、
前記画像形成装置を、
当該画像形成装置を利用するために用いられる読取手段で読取対象物を読み取ることによって得られるユーザを識別するユーザ識別情報を受け付けるユーザ識別情報受付手段と、
前記印刷データ記憶手段で記憶されている印刷データを識別する印刷データ識別情報を記憶する印刷データ識別情報記憶手段と、
前記ユーザ識別情報受付手段で受け付けたユーザ識別情報と同一ユーザの読取対象物を前記読取手段で再度受け付けたか否かを判定する受付判定手段と、
前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段
として機能させることを特徴とするプログラム。
【手続補正２】
【補正対象書類名】明細書
【補正対象項目名】００１２
【補正方法】変更
【補正の内容】
【００１２】
前述した目的を達成するために第１の発明は、画像形成装置に接続され、ユーザ識別情報と対応付けられた印刷データを記憶する印刷データ記憶手段と接続されるネットワークインタフェース装置であって、前記画像形成装置を利用するために用いられる読取手段で読取対象物を読み取ることによって得られるユーザを識別するユーザ識別情報を受け付けるユーザ識別情報受付手段と、前記印刷データ記憶手段で記憶されている印刷データを識別する印刷データ識別情報を記憶する印刷データ識別情報記憶手段と、前記ユーザ識別情報受付手段で受け付けたユーザ識別情報と同一ユーザの読取対象物を前記読取手段で再度受け付けたか否かを判定する受付判定手段と、前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段と、を備えることを特徴とする。
【手続補正３】
【補正対象書類名】明細書
【補正対象項目名】００１３
【補正方法】変更
【補正の内容】
【００１３】
また、前記ユーザ識別情報に対応する印刷データ識別情報に従って、前記印刷データ記憶手段に記憶されている印刷データを前記画像形成装置に送信する第１の印刷データ送信手段を更に備え、前第１の記印刷手段は、同一ユーザの読取対象物を再度受け付けない場合に、前記印刷データ識別情報記憶手段で記憶されている前記ユーザ識別情報に対応する印刷データ識別情報に従って、前記印刷データ記憶手段から印刷データを取得して送信する。
【手続補正４】
【補正対象書類名】明細書
【補正対象項目名】００１４
【補正方法】変更
【補正の内容】
【００１４】
また、前記ユーザ識別情報の受け付けに応じて、前記印刷データ識別情報記憶手段で記憶されている当該ユーザ識別情報に対応する印刷データ識別情報を所定時間ユーザに通知するように、前記画像形成装置に前記印刷データ識別情報を送信する印刷データ識別情報送信手段を更に備え、前記印刷データ削除は、前記受付判定手段で、前記印刷データ識別情報送信手段によって送信した前記印刷データ識別情報を前記画像形成装置で所定時間通知する間に、同一ユーザの読取対象物を再度受け付けたと判定される場合に、通知されている前記印刷データ識別情報に従って、前記印刷データ記憶手段から印刷データを削除する。
【手続補正５】
【補正対象書類名】明細書
【補正対象項目名】００１５
【補正方法】変更
【補正の内容】
【００１５】
また、前記受付判定手段で、同一ユーザの読取対象物を再度受け付けたと判定される場合に、前記読取手段に読取対象物がかざされている間隔の値を取得する値取得手段と、前記値取得手段で取得された値が所定の値となるか否かを判定する値判定手段とを更に備え、前記印刷データ削除手段は、前記値判定手段で所定の値となると判定された場合に、前記ユーザ識別情報に対応する印刷データを前記印刷データ記憶手段から全て削除する。
【手続補正６】
【補正対象書類名】明細書
【補正対象項目名】００１６
【補正方法】変更
【補正の内容】
【００１６】
また、前記印刷データ識別情報送信手段は、前記値判定手段で所定の値とならないと判定された場合に、前記印刷データ記憶手段で記憶されている次の印刷データを識別する印刷データ識別情報を所定時間ユーザに通知すべく前記画像形成装置に印刷データ識別情報を送信する。
【手続補正７】
【補正対象書類名】明細書
【補正対象項目名】００１７
【補正方法】変更
【補正の内容】
【００１７】
また、前記ネットワークインタフェース装置は、ユーザの認証を行う認証サーバと通信し、前記ユーザ識別情報受付手段によって前記ユーザ識別情報を受け付けた場合、前記ユーザ識別情報を含む認証要求を前記認証サーバに送信する認証要求送信手段と、前記認証要求送信手段で認証要求を前記認証サーバに送信することで、前記ユーザ識別情報が認証された場合、前記ユーザ識別情報に対応する印刷データの印刷データ識別情報を取得する印刷データ識別情報取得手段とを更に備え、前記印刷データ識別情報送信手段は、前記印刷データ識別情報取得手段で取得した印刷データ識別情報を送信することを特徴とする。
【手続補正８】
【補正対象書類名】明細書
【補正対象項目名】００１８
【補正方法】変更
【補正の内容】
【００１８】
また、前記ネットワークインタフェース装置は、印刷データを送信する情報処理装置と通信し、前記情報処理装置から送信された印刷データを受け付ける印刷データ受付手段と、前記印刷データ受付手段によって受け付けた印刷データを前記印刷データ記憶に保存する保存手段とを更に備えることを特徴とする。
【手続補正９】
【補正対象書類名】明細書
【補正対象項目名】００１９
【補正方法】変更
【補正の内容】
【００１９】
また、前記認証サーバと通信可能か否かを判断する通信可否判断手段と、前記通信可否判断手段で、前記認証サーバと通信可能でないと判断した場合、前記印刷データ受付手段によって受け付けた印刷データを、前記印刷データ記憶手段に保存するための設定を解除する解除手段と、前記解除手段によって設定が解除されている場合、前記印刷データ受付手段によって受け付けた印刷データを、前記印刷データ記憶手段に保存することなく、前記画像形成装置に送信する第２の印刷データ送信手段とを更に備えることを特徴とする。
【手続補正１０】
【補正対象書類名】明細書
【補正対象項目名】００２０
【補正方法】変更
【補正の内容】
【００２０】
また、前記通信可否判断手段は、前記解除手段で印刷データ記憶手段に保存するための設定が解除されている場合、一定間隔で前記認証サーバと通信可能かどうかを判断することを特徴とする。
【手続補正１１】
【補正対象書類名】明細書
【補正対象項目名】００２１
【補正方法】変更
【補正の内容】
【００２１】
また、前記通信可否判断手段で前記認証サーバと通信可能であると判断した場合、かつ前記印刷データ記憶手段に保存するための設定が解除されている場合、前記印刷データ記憶手段に保存するための設定を設定する設定手段を更に備えることを特徴とする。
【手続補正１２】
【補正対象書類名】明細書
【補正対象項目名】００２２
【補正方法】変更
【補正の内容】
【００２２】
また、前記通信可否判断で前記認証サーバとの通信ができた際の時間情報を記憶する時間情報記憶手段を更に備え、前記印刷データ識別情報送信手段は、前記時間情報と前記印刷データ記憶手段に印刷データを保存した保存時間情報に従って、前記印刷データ識別情報を送信することを特徴とする。
また、前記ユーザ識別情報受付手段で受け付けたユーザ識別情報は、前記読取手段に読取対象物がかざされた場合に、当該読取対象物の所定の領域を読み取ることによって得られる情報であることを特徴とする。
【手続補正１３】
【補正対象書類名】明細書
【補正対象項目名】００２３
【補正方法】変更
【補正の内容】
【００２３】
第２の発明は、画像形成装置に接続され、ユーザ識別情報と対応付けられた印刷データを記憶する印刷データ記憶手段と接続されるネットワークインタフェース装置の制御方法であって、前記ネットワークインタフェース装置が、前記画像形成装置を利用するために用いられる読取手段で読取対象物を読み取ることによって得られるユーザを識別するユーザ識別情報を受け付けるユーザ識別情報受付工程と、前記印刷データ記憶手段で記憶されている印刷データを識別する印刷データ識別情報を記憶する印刷データ識別情報記憶工程と、前記ユーザ識別情報受付工程で受け付けたユーザ識別情報と同一ユーザの読取対象物を前記読取手段で再度受け付けたか否かを判定する受付判定工程と、前記受付判定工程で、同一ユーザの読取対象物を再度受け付けたと判定される場合に、前記印刷データ識別情報記憶工程で記憶した前記ユーザ識別情報に対応する印刷データ識別情報に従って、前記印刷データ記憶手段から印刷データを削除する印刷データ削除工程とを実行することを特徴とする。
【手続補正１４】
【補正対象書類名】明細書
【補正対象項目名】００２４
【補正方法】変更
【補正の内容】
【００２４】
第３の発明は、画像形成装置に接続され、ユーザ識別情報と対応付けられた印刷データを記憶する印刷データ記憶手段と接続されるネットワークインタフェース装置で実行可能なプログラムであって、前記ネットワークインタフェースを、前記画像形成装置を利用するために用いられる読取手段で読取対象物を読み取ることによって得られるユーザを識別するユーザ識別情報を受け付けるユーザ識別情報受付手段と、前記印刷データ記憶手段で記憶されている印刷データを識別する印刷データ識別情報を記憶する印刷データ識別情報記憶手段と、前記ユーザ識別情報受付手段で受け付けたユーザ識別情報と同一ユーザの読取対象物を前記読取手段で再度受け付けたか否かを判定する受付判定手段と、前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段として機能させることを特徴とする。
【手続補正１５】
【補正対象書類名】明細書
【補正対象項目名】００２５
【補正方法】変更
【補正の内容】
【００２５】
第４の発明は、ユーザ識別情報と対応付けられた印刷データを記憶する印刷データ記憶手段と接続される画像形成装置であって、当該画像形成装置を利用するために用いられる読取手段で読取対象物を読み取ることによって得られるユーザを識別するユーザ識別情報を受け付けるユーザ識別情報受付手段と、前記印刷データ記憶手段で記憶されている印刷データを識別する印刷データ識別情報を記憶する印刷データ識別情報記憶手段と、前記ユーザ識別情報受付手段で受け付けたユーザ識別情報と同一ユーザの読取対象物を前記読取手段で再度受け付けたか否かを判定する受付判定手段と、前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段とを備えることを特徴とする。
第５の発明は、ユーザ識別情報と対応付けられた印刷データを記憶する印刷データ記憶手段と接続される画像形成装置の制御方法であって、前記画像形成装置が、当該画像形成装置を利用するために用いられる読取手段で読取対象物を読み取ることによって得られるユーザを識別するユーザ識別情報を受け付けるユーザ識別情報受付工程と、前記印刷データ記憶手段で記憶されている印刷データを識別する印刷データ識別情報を記憶する印刷データ識別情報記憶工程と、前記ユーザ識別情報受付工程で受け付けたユーザ識別情報と同一ユーザの読取対象物を前記読取手段で再度受け付けたか否かを判定する受付判定工程と、前記受付判定工程で、同一ユーザの読取対象物を再度受け付けたと判定される場合に、前記印刷データ識別情報記憶工程で記憶した前記ユーザ識別情報に対応する印刷データ識別情報に従って、前記印刷データ記憶手段から印刷データを削除する印刷データ削除工程とを備えることを特徴とする画像形成装置の制御方法。
第６の発明は、ユーザ識別情報と対応付けられた印刷データを記憶する印刷データ記憶手段と接続される画像形成装置で実行可能なプログラムであって、前記画像形成装置を、当該画像形成装置を利用するために用いられる読取手段で読取対象物を読み取ることによって得られるユーザを識別するユーザ識別情報を受け付けるユーザ識別情報受付手段と、前記印刷データ記憶手段で記憶されている印刷データを識別する印刷データ識別情報を記憶する印刷データ識別情報記憶手段と、前記ユーザ識別情報受付手段で受け付けたユーザ識別情報と同一ユーザの読取対象物を前記読取手段で再度受け付けたか否かを判定する受付判定手段と、前記受付判定手段で、同一ユーザの読取対象物を再度受け付けたと判定される場合に、前記印刷データ識別情報記憶手段で記憶されている前記ユーザ識別情報に対応する印刷データ識別情報に従って、前記印刷データ記憶手段から印刷データを削除する印刷データ削除手段として機能させることを特徴とする。